(57)【要約】      （修正有）【課題】保管スペースを削減するとともに、設計変更に容易に対応可能な遊技機を提供する。【解決手段】遊技機が備えるキャビネット２ａは、互いに対面する一対の側板２３Ｌ，２３Ｒを含んで構成されている。側板２３Ｌ，２３Ｒは、枠状に形成された金属製の側枠部２５と、側枠部２５に外縁が囲まれた木製の側内板２４とを有する。側板２３Ｌ，２３Ｒの側枠部２５は、四角枠状に形成され、各辺を構成する４つの部材である前枠部２６、後枠部２７、上枠部２８及び下枠部２９で構成されている。【選択図】図９
2019063553.tif 000002
【特許請求の範囲】
【請求項１】
前面が開口した箱状のキャビネットを備える遊技機であって、
前記キャビネットは、互いに対面する一対の側板を含んで構成され、
前記側板は、枠状に形成された金属製の枠部と、前記枠部に外縁が囲まれた木製の内板部と、を有し、
前記側板の枠部は、四角枠状に形成され、各辺を構成する４つの部材で構成されている
遊技機。
【請求項２】
前記キャビネットは、さらに天板を含んで構成され、
前記天板は、前記側板と同様の構成である枠部と内板部とを有する
請求項１に記載の遊技機。
【発明の詳細な説明】
【技術分野】
【０００１】
本発明は、遊技機に関する。
【背景技術】
【０００２】
一般的な遊技機は、キャビネットと、このキャビネットに対して開閉可能に取り付けられるフロントドアとを備えている。そして、キャビネットは、前面が開口した略箱状に形成され、内部に各種装置、例えば遊技機がパチスロ機であれば、複数のリールや複数のリールを上方又は下方から支持するミドルボードなどが収容されている。
【０００３】
特許文献１には、キャビネットの底板、天板及び一対の側板が背板に略直交する方向から背板に略水平になる方向に回動可能な遊技機が記載されている。この遊技機では、遊技機の保管時において、キャビネットの底板、天板及び一対の側板を背板に略水平になる方向に回動させることによって、保管スペースを削減できる。
【先行技術文献】
【特許文献】
【０００４】
【特許文献１】特開２００７−３１３２３７号公報
【発明の概要】
【発明が解決しようとする課題】
【０００５】
ところで、キャビネットの強度を高めるには、キャビネットを形成する底板、天板、側板及び背板を金属製にすることが考えられる。しかし、特許文献１に記載の遊技機における底板、天板、側板及び背板を金属製にした場合、底板、天板、側板及び背板を制作後に、キャビネット内に配置する各種装置の配置の変更などの設計変更があると、金属製の底板、天板、側板及び背板に設計変更に伴う加工（ねじ孔を空けるなど）を施さなければならず、手間がかかる。
【０００６】
本発明は、上記課題を解決するためになされたものであり、本発明の目的は、保管スペースを削減するとともに、設計変更に容易に対応可能な遊技機を提供することである。
【課題を解決するための手段】
【０００７】
上記課題を解決するために、本発明では、以下のような構成の遊技機を提供する。
【０００８】
前面が開口した箱状のキャビネット（例えば、後述のキャビネット２ａ）を備える遊技機であって、
前記キャビネットは、互いに対面する一対の側板（例えば、後述の側板２３）を含んで構成され、
前記側板は、枠状に形成された金属製の枠部（例えば、後述の側枠部２５）と、前記枠部に外縁が囲まれた木製の内板部（例えば、後述の側内板２４）と、を有し、
前記側板の枠部は、四角枠状に形成され、各辺を構成する４つの部材（例えば、後述の前枠部２６、後枠部２７、上枠部２８及び下枠部２９）で構成されている
遊技機。
【発明の効果】
【０００９】
上記構成の本発明の遊技機によれば、保管スペースを削減するとともに、設計変更に容易に対応できる。
【図面の簡単な説明】
【００１０】
【図１】本発明の一実施形態における遊技機の機能フローを説明するための図である。
【図２】本発明の一実施形態における遊技機の外観構造を示す斜視図である。
【図３】本発明の一実施形態における遊技機の液晶表示装置付近の概略正面構成図である。
【図４】本発明の一実施形態における遊技機の内部構造を示す図である。
【図５】本発明の一実施形態の遊技機が備える回路の全体構成を示すブロック図である。
【図６】本発明の一実施形態における副制御回路の内部構成を示すブロック図である。
【図７】本発明の一実施形態におけるキャビネットを前方から見た斜視図である。
【図８】本発明の一実施形態におけるキャビネットを後方から見た斜視図である。
【図９】本発明の一実施形態におけるキャビネットの分解図である。
【図１０】本発明の一実施形態におけるキャビネットの側枠部の分解図である。
【図１１】本発明の一実施形態における側枠部、第２天板枠部及び底板枠部の組み立て体と他の部材との関係を示すキャビネットの分解図である。
【図１２】後方から見た本発明の一実施形態におけるキャビネットの天板の分解図である。
【図１３】後方から見た本発明の一実施形態におけるキャビネットの底板の分解図である。
【図１４】図８のＸ−Ｘ線断面図である。
【発明を実施するための形態】
【００１１】
以下、本発明の一実施形態を示す遊技機としてパチスロを例に挙げ、図面を参照しながら、その構成及び動作について説明する。なお、本実施形態では、特定の小役の成立をランプ等でナビゲートする機能であるアシストタイム（以下、「ＡＴ」という）と、特定の図柄組合せが表示された場合にリプレイの当籤確率が通常時より高い遊技状態が作動する機能、すなわち、リプレイタイム（以下、「ＲＴ」という）の機能とが同時に作動するアシストリプレイタイム（以下、「ＡＲＴ」という）の機能を備えたパチスロについて説明する。
【００１２】
＜機能フロー＞
まず、図１を参照して、パチスロの機能フローについて説明する。本実施形態のパチスロでは、遊技を行うための遊技媒体としてメダルを用いる。なお、遊技媒体としては、メダル以外にも、例えば、コイン、遊技球、遊技用のポイントデータ又はトークン等を適用することもできる。
【００１３】
遊技者によりパチスロにメダルが投入され、スタートレバーが操作されると、予め定められた数値範囲（例えば、０〜６５５３５）の乱数から１つの値（以下、乱数値という）が抽出される。
【００１４】
内部抽籤手段は、抽出された乱数値に基づいて抽籤を行い、内部当籤役を決定する。この内部抽籤手段は、後述する主制御回路が備える各種処理手段（処理機能）の一つである。内部当籤役の決定により、後述の有効ライン（入賞判定ライン）に沿って表示を行うことを許可する図柄の組合せが決定される。なお、図柄の組合せの種別としては、メダルの払い出し、再遊技（リプレイ）の作動、ボーナスの作動等といった特典が遊技者に与えられる「入賞」に係るものと、それ以外のいわゆる「はずれ」に係るものとが設けられる。
【００１５】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。このリール停止制御手段は、後述する主制御回路が備える各種処理手段（処理機能）の一つである。
【００１６】
パチスロでは、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。そして、本実施形態では、規定期間が１９０ｍｓｅｃである場合には、滑り駒数の最大数（最大滑り駒数）を図柄４個分に定め、規定期間が７５ｍｓｅｃである場合には、最大滑り駒数を図柄１個分に定める。
【００１７】
リール停止制御手段は、入賞に係る図柄の組合せ表示を許可する内部当籤役が決定されているときは、通常、１９０ｍｓｅｃ（図柄４駒分）の規定時間内に、その図柄の組合せが有効ラインに沿って極力表示されるようにリールの回転を停止させる。また、リール停止制御手段は、例えば、第２種特別役物であるチャレンジボーナス（以下、「ＣＢ」という）及び「ＣＢ」を連続して作動させる「ＭＢ」（ミドルボーナス）の動作時には、１つ以上のリールに対して、規定時間７５ｍｓｅｃ（図柄１駒分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが有効ラインに沿って表示されないようにリールの回転を停止させる。
【００１８】
こうして、複数のリールの回転がすべて停止されると、入賞判定手段は、有効ラインに沿って表示された図柄の組合せが、入賞に係るものであるか否かの判定を行う。この入賞判定手段もまた、後述する主制御回路が備える各種処理手段（処理機能）の一つである。そして、表示された図柄の組合せが、入賞判定手段により入賞に係るものであるとの判定が行われると、メダルの払い出し等の特典が遊技者に与えられる。パチスロでは、以上のような一連の流れが１回の遊技（単位遊技）として行われる。
【００１９】
また、パチスロでは、前述した一連の遊技動作の流れの中で、液晶表示装置などの表示装置により行う映像の表示、各種ランプにより行う光の出力、スピーカにより行う音の出力、或いはこれらの組合せを利用して様々な演出が行われる。
【００２０】
具体的には、スタートレバーが操作されると、上述した内部当籤役の決定に用いられた乱数値とは別に、演出用の乱数値（以下、演出用乱数値という）が抽出される。演出用乱数値が抽出されると、演出内容決定手段は、内部当籤役に対応づけられた複数種類の演出内容の中から今回実行する演出を抽籤により決定する。この演出内容決定手段は、後述する副制御回路が備える各種処理手段（処理機能）の一つである。
【００２１】
次いで、演出内容決定手段により演出内容が決定されると、演出実行手段は、リールの回転開始時、各リールの回転停止時、入賞の有無の判定時等の各契機に連動させて対応する演出を実行する。このように、パチスロでは、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２２】
＜パチスロの構造＞
次に、図２〜図４を参照して、本実施形態におけるパチスロの構造について説明する。
【００２３】
［外観構造］
まず、パチスロ１の外観構造を、図２及び図３を参照しながら説明する。図２は、本実施形態のパチスロ１の外部構造を示す斜視図であり、図３は、パチスロ１の液晶画面付近の概略正面構成図である。
【００２４】
パチスロ１は、図２に示すように、外装体２を備える。外装体２は、リールや回路基板等を収容するキャビネット２ａと、キャビネット２ａに対して開閉可能に取り付けられたフロントドア２ｂとを有する。
【００２５】
キャビネット２ａは、前面が開口した略箱状に形成されている。キャビネット２ａの両側面には、把手７が設けられる（図２では一方の側面の把手７のみを示す）。把手７は凹状部材で構成され、パチスロ１を運搬するときに作業者の手がこの把手７にかけられる。
【００２６】
キャビネット２ａの内部には、図３及び後述の図４に示すように、３つのリール３Ｌ，３Ｃ，３Ｒ（変動表示手段）が設けられ、該３つのリール３Ｌ，３Ｃ，３Ｒは横方向（リールの回転方向と直交する方向）に一列に配置される。以下、リール３Ｌ，３Ｃ，３Ｒを、それぞれ左リール３Ｌ、中リール３Ｃ、右リール３Ｒという。各リール（表示列）は、円筒状に形成されたリール本体と、リール本体の周面に装着された透光性のシート材とを有する。シート材の表面には、複数（例えば２１個）の図柄が周方向（リールの回転方向）に沿って描かれ、図柄の配列方向に沿って互いに隣り合う図柄は所定の間隔をあけて配置される。
【００２７】
フロントドア２ｂは、ドア本体９と、フロントパネル１０と、液晶表示装置１１（図３参照）と、腰部パネル１２とを備える。ドア本体９は、ヒンジ（不図示）を用いてキャビネット２ａに開閉可能に取り付けられる。ヒンジは、パチスロ１の前方側（遊技者側）からドア本体９を見た場合、ドア本体９の左側の側端部に設けられる。
【００２８】
液晶表示装置１１（報知手段）は、ドア本体９の上部に取り付けられており、映像の表示による演出を実行する。この液晶表示装置１１は、図３に示すように、左リール３Ｌ、中リール３Ｃ及び右リール３Ｒに描かれた図柄をそれぞれ表示するための３つの表示窓４Ｌ，４Ｃ，４Ｒを含む表示部（表示画面）１１ａを備える。本実施形態では、３つの表示窓４Ｌ，４Ｃ，４Ｒを含む表示部１１ａの全体を使って、映像の表示が行われ、演出が実行される。
【００２９】
３つの表示窓４Ｌ，４Ｃ，４Ｒは、例えばアクリル板等の透明部材で形成される。この３つの表示窓４Ｌ，４Ｃ，４Ｒは、正面（遊技者側）から見て、３つのリールの配置領域と重畳する位置に設けられ、かつ、３つのリールより手前（遊技者側）に位置するように設けられる。したがって、遊技者は、３つの表示窓４Ｌ，４Ｃ，４Ｒを介して、それらの背後に設けられた３つのリールを視認することができる。
【００３０】
本実施形態では、各表示窓は、その背後に設けられた対応するリールの回転が停止したとき、各リールに描かれた（配列された）複数の図柄のうち、連続して配置された３つの図柄を表示できる大きさに設定されている。それゆえ、各表示窓の枠内には、図３に示すように、リール毎に上段、中段及び下段の各図柄表示領域（以下、それぞれ上段領域、中段領域及び下段領域という）が設けられ、各図柄表示領域に１個の図柄が表示される。すなわち、３つの表示窓４Ｌ，４Ｃ，４Ｒには、３×３の配列形態で図柄が表示される。そして、本実施形態では、左リール３Ｌの中段領域、中リール３Ｃの中段領域、及び、右リール３Ｒの中段領域を結ぶライン（センターライン）を、入賞か否かの判定を行う有効ラインとして定義する。
【００３１】
フロントパネル１０は、ドア本体９の上部において液晶表示装置１１の表示画面（表示部１１ａ）の周縁部分を覆うように取り付けられ、かつ、表示部１１ａの正面側の面上に重畳して配置される。そして、フロントパネル１０は、液晶表示装置１１の表示部１１ａにおける必要な表示画面領域を露出させる３つのパネル開口１０１ａが形成された装飾枠１０１と、装飾枠１０１の３つのパネル開口１０１ａを塞ぐ透明の保護カバー１０２(図
２参照)を有する。
【００３２】
また、装飾枠１０１には、ランプ群７１と、演出用スイッチ７２Ｌ，７２Ｒ（以下、左演出用スイッチ７２Ｌ及び右演出用スイッチ７２Ｒという）が設けられる。
【００３３】
ランプ群７１は、例えば、遊技者側から見て、装飾枠１０１の左側部に設けられたランプ７１ａ、及び、装飾枠１０１の右側部に設けられたランプ７１ｂを含む（図３参照）。ランプ群７１を構成する各ランプは、ＬＥＤ（Light Emitting Diode）等で構成され、演出内容に対応するパターンで、光を点灯及び消灯する。
【００３４】
左演出用スイッチ７２Ｌは、図２及び図３に示すように、遊技者側から見て、装飾枠１０１の左側部に設けられ、且つ、遊技者側から見て保護カバー１０２の左下角部に配置される。一方、右演出用スイッチ７２Ｒは、遊技者側から見て、装飾枠１０１の右側部に設けられ、且つ、遊技者側から見て保護カバー１０２の右下角部に配置される。
【００３５】
さらに、装飾枠１０１には、中央可動ユニット１０５と、左可動ユニット１０６と、右可動ユニット１０７とが取り付けられる。
【００３６】
中央可動ユニット１０５は、装飾枠１０１内の上端付近の中央部に配置され、可動部品３０９を有する。中央可動ユニット１０５は、例えば、特定の演出が行われる場合に、初期位置（図３参照）にある可動部品３０９を、左右方向に延びる軸を中心に回動させると共に、下降させる。これにより、可動部品３０９は、液晶表示装置１１の表示部１１ａの一部を覆う位置まで移動する。
【００３７】
左可動ユニット１０６は、装飾枠１０１内の左側端付近に配置され、左扉１８８を有する。また、右可動ユニット１０７は、装飾枠１０１内の右側端付近に配置され、右扉１８９を有する。左可動ユニット１０６は、例えば、所定の演出が行われる場合に、初期位置（図３参照）にある左扉１８８を、上下方向に延びる軸を中心に回動させる。また、右可動ユニット１０７は、例えば、所定の演出が行われる場合に、初期位置にある右扉１８９を、上下方向に延びる軸を中心に回動させる。なお、パチスロ１では、所定の演出が行われる場合において、左扉１８８及び右扉１８９の一方を回動させてもよいし、左扉１８８及び右扉１８９の両方を回動させてもよい。
【００３８】
腰部パネル１２は、図２に示すように、ドア本体９の略中央に設けられ、腰部パネル１２には、台座部１３が形成される。そして、台座部１３には、遊技者の操作対象となる各種装置（メダル投入口１４、ＭＡＸベットボタン１５Ａ、１ＢＥＴボタン１５Ｂ、スタートレバー１６、３つのストップボタン１７Ｌ，１７Ｃ，１７Ｒ、清算ボタン１８等）が設けられる。
【００３９】
メダル投入口１４は、遊技者によって外部からパチスロ１に投下されるメダルを受け入れるために設けられる。メダル投入口１４から受け入れられたメダルは、予め設定された所定枚数（例えば３枚）を上限として１回の遊技に使用され、所定枚数を超えたメダルの枚数分は、パチスロ１の内部に預けることができる（いわゆるクレジット機能）。
【００４０】
ＭＡＸベットボタン１５Ａ及び１ＢＥＴボタン１５Ｂは、パチスロ１の内部に預けられているメダルから１回の遊技に使用する枚数を決定するために設けられる。また、精算ボタン１８は、パチスロ１の内部に預けられているメダルを外部に引き出す（排出する）ために設けられる。
【００４１】
スタートレバー１６は、全てのリール（３Ｌ，３Ｃ，３Ｒ）の回転を開始するために設けられる。ストップボタン１７Ｌ，１７Ｃ，１７Ｒは、それぞれ、左リール３Ｌ、中リール３Ｃ、右リール３Ｒに対応づけて設けられ、各ストップボタンは対応するリールの回転を停止するために設けられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４２】
また、図２には示さないが、台座部１３には、７セグメントＬＥＤ（Light Emitting Diode）からなる７セグ表示器６（図５参照）が設けられる。この７セグ表示器６は、特典として遊技者に対して払い出すメダルの枚数（以下、払出枚数という）、パチスロ１の内部に預けられているメダルの枚数（以下、クレジット枚数という）等の情報をデジタル表示する。
【００４３】
ドア本体９の下部には、メダル払出口７４、メダル受皿７５、２つのスピーカ７０Ｌ，７０Ｒ等が設けられる。メダル払出口７４は、後述のメダル払出装置３３の駆動により排出されるメダルを外部に導く。メダル受皿７５は、メダル払出口７４から排出されたメダルを貯める。また、２つのスピーカ７０Ｌ，７０Ｒは、演出内容に対応する効果音や楽曲等の音声を出力する。
【００４４】
［内部構造］
次に、パチスロ１の内部構造を、図４を参照しながら説明する。図４は、パチスロ１の内部構造を説明するための図であり、フロントドア２ｂをキャビネット２ａに対して開放した際の様子を示す図である。
【００４５】
キャビネット２ａは、正面側（フロントドア２ｂ側）の一面が開口された略直方体状の箱状部材で構成される。
【００４６】
キャビネット２ａ内の上端部付近には、後述の主制御回路４１（図５参照）が実装された主基板（不図示）が設けられる。主制御回路４１は、内部当籤役の決定、各リールの回転及び停止、入賞の有無の判定等の、パチスロ１における遊技の主な動作及び該動作間の流れを制御する回路である。なお、主制御回路４１の具体的な構成は後で詳述する。
【００４７】
キャビネット２ａ内の中央部付近には、左リール３Ｌ、中リール３Ｃ及び右リール３Ｒを含むリールユニットが設けられる。左リール３Ｌ、中リール３Ｃ及び右リール３Ｒは、略平板状に形成され、キャビネット２ａに設けられた金属製のミドルボード１３０に載置されている。なお、図４には示さないが、各リールは、所定の減速比を有する歯車を介して対応する後述のステッピングモータ（図５中のステッピングモータ６１Ｌ，６１Ｃ，６１Ｒのいずれか）に接続される。
【００４８】
キャビネット２ａ内の下端部付近には、多量のメダルが収容可能であり、かつ、それらを１枚ずつ排出可能な構造を有するメダル払出装置３３（以下、ホッパー３３という）が設けられる。また、キャビネット２ａ内の下端部付近において、ホッパー３３の一方の側部（図４に示す例では左側）には、パチスロ１が有する各装置に対して必要な電力を供給する電源装置３４が設けられる。
【００４９】
キャビネット２ａ内には、後述の副制御回路４２（図５及び図６参照）が実装された副基板３２が設けられる。副制御回路４２は、映像の表示等による演出の実行を制御する回路である。なお、副制御回路４２の具体的な構成は後で詳述する。
【００５０】
さらに、フロントドア２ｂの裏面側の略中央部付近には、セレクタ３５が設けられる。セレクタ３５は、メダル投入口１４（図２参照）を介して外部から投入されたメダルの材質や形状等が適正である否かを選別する装置であり、適正であると判定したメダルをホッパー３３に案内する。また、図４には示さないが、セレクタ３５内においてメダルが通過する経路上には、適正なメダルが通過したことを検出するメダルセンサ３５Ｓ（図５参照）が設けられる。
【００５１】
＜パチスロが備える回路の構成＞
次に、パチスロ１が備える回路の構成について、図５及び図６を参照して説明する。なお、図５は、パチスロ１が備える回路全体のブロック構成図である。また、図６は、副制御回路の内部構成を示すブロック構成図である。
【００５２】
パチスロ１は、図５に示すように、主制御回路４１、副制御回路４２、及び、これらの回路と電気的に接続される周辺装置（アクチュエータ）を備える。
【００５３】
［主制御回路］
主制御回路４１は、主に、回路基板（主基板３１）上に実装されたマイクロコンピュータ５０により構成される。それ以外の構成要素として、主制御回路４１は、クロックパルス発生回路５４、分周器５５、乱数発生器５６、サンプリング回路５７、表示部駆動回路６４、ホッパー駆動回路６５、及び、払出完了信号回路６６を含む。
【００５４】
マイクロコンピュータ５０は、メインＣＰＵ（Central Processing Unit）５１、メイ
ンＲＯＭ（Read Only Memory）５２及びメインＲＡＭ（Random Access Memory）５３を備える。
【００５５】
メインＲＯＭ５２には、メインＣＰＵ５１により実行される各種処理の制御プログラム、内部抽籤テーブル等のデータテーブル、副制御回路４２に対して各種制御指令（コマンド）を送信するためのデータ等が記憶される。また、メインＲＡＭ５３には、制御プログラムの実行により決定された内部当籤役等の各種データを一時的に格納する格納領域が設けられる。
【００５６】
メインＣＰＵ５１には、クロックパルス発生回路５４、分周器５５、乱数発生器５６及びサンプリング回路５７が接続される。クロックパルス発生回路５４及び分周器５５は、クロックパルスを発生（生成）する。そして、メインＣＰＵ５１は、生成されたクロックパルスに基づいて、各種制御プログラムを実行する。また、乱数発生器５６は、予め定められた範囲の乱数（例えば、０〜６５５３５）を発生する。そして、サンプリング回路５７は、発生された乱数の中から１つの値を抽出する。
【００５７】
マイクロコンピュータ５０の入力ポートには、各種スイッチ及び各種センサ等が接続される。メインＣＰＵ５１は、各種スイッチ等からの入力信号を受けて、ステッピングモータ６１Ｌ，６１Ｃ，６１Ｒ等の周辺装置の動作を制御する。
【００５８】
ストップスイッチ１７Ｓ（停止操作検出手段）は、左ストップボタン１７Ｌ、中ストップボタン１７Ｃ及び右ストップボタン１７Ｒのそれぞれが遊技者により押されたこと（停止操作）を検出する。スタートスイッチ１６Ｓ（開始操作検出手段）は、スタートレバー１６が遊技者により操作されたこと（開始操作）を検出する。精算スイッチ１８Ｓは、精算ボタンが遊技者により押されたことを検出する。また、ベットスイッチ１５Ｓは、ベットボタン（ＭＡＸベットボタン１５Ａ又は１ＢＥＴボタン１５Ｂ）が遊技者により押されたことを検出する。
【００５９】
メダルセンサ３５Ｓ（投入操作検出手段）は、メダル投入口１４に投入されたメダルがセレクタ３５内を通過したことを検出する。
【００６０】
また、マイクロコンピュータ５０により動作が制御される周辺装置としては、３つのステッピングモータ６１Ｌ，６１Ｃ，６１Ｒ（変動表示手段）、７セグ表示器６及びホッパー３３がある。また、マイクロコンピュータ５０の出力ポートには、各周辺装置の動作を制御するための駆動回路が接続される。具体的には、モータ駆動回路６２、表示部駆動回路６４及びホッパー駆動回路６５がマイクロコンピュータ５０の出力ポートに接続される。
【００６１】
モータ駆動回路６２は、左リール３Ｌ、中リール３Ｃ、右リール３Ｒに対応してそれぞれ設けられた３つのステッピングモータ６１Ｌ，６１Ｃ，６１Ｒの駆動を制御する。リール位置検出回路６３は、発光部と受光部とを有する光センサにより、リールが一回転したことを示すリールインデックスをリール毎に検出する。なお、リール位置検出回路６３は、マイクロコンピュータ５０の入力ポートに接続され、検出結果をマイクロコンピュータ５０に出力する。
【００６２】
３つのステッピングモータ６１Ｌ，６１Ｃ，６１Ｒのそれぞれは、その運動量がパルスの出力数に比例し、回転軸を指定された角度で停止させることが可能な構成を有する。また、各ステッピングモータの駆動力は、所定の減速比を有する歯車を介して、対応するリールに伝達される。そして、各ステッピングモータに対して１回のパルスが出力されるごとに、対応するリールは一定の角度で回転する。
【００６３】
メインＣＰＵ５１は、各リールのリールインデックスを検出してから対応するステッピングモータに対してパルスが出力された回数をカウントすることによって、各リールの回転角度（具体的には、リールが図柄何個分だけ回転したか）を管理する。
【００６４】
ここで、各リールの回転角度の管理手法を具体的に説明する。各ステッピングモータに対して出力されたパルスの数は、メインＲＡＭ５３に設けられたパルスカウンタ（不図示）によって計数される。そして、図柄１個分の回転に必要な所定回数（例えば１６回）のパルスの出力がパルスカウンタで計数されるごとに、メインＲＡＭ５３に設けられた図柄カウンタ（不図示）の値に、「１」が加算される。なお、図柄カウンタは、リール毎に設けられる。そして、図柄カウンタの値は、リール位置検出回路６３によってリールインデックスが検出されるとクリアされる。
【００６５】
すなわち、本実施形態では、図柄カウンタの値を管理することにより、リールインデックスが検出されてから図柄何個分の回転動作が行われたのかを管理する。それゆえ、各リールの各図柄の位置は、リールインデックスが検出される位置を基準として検出される。
【００６６】
表示部駆動回路６４は、７セグ表示器６の動作を制御する。ホッパー駆動回路６５は、ホッパー３３の動作を制御する。また、払出完了信号回路６６は、ホッパー３３に設けられたメダル検出部３３Ｓが行うメダルの検出を管理し、ホッパー３３から外部に排出されたメダルが所定の払出枚数に達したか否かをチェックする。なお、払出完了信号回路６６は、マイクロコンピュータ５０の入力ポートに接続され、チェック結果をマイクロコンピュータ５０に出力する。
【００６７】
［副制御回路］
図５及び図６に示すように、副制御回路４２は、主制御回路４１と電気的に接続され、主制御回路４１から送信されるコマンドに基づいて演出内容の決定や実行等の処理を行う。副制御回路４２は、基本的には、図６に示すように、サブＣＰＵ８１、サブＲＯＭ８２、サブＲＡＭ８３、レンダリングプロセッサ８４、描画用ＲＡＭ８５、及び、ドライバ８６を含む。さらに、副制御回路４２は、ＤＳＰ（Digital Signal Processor）９０、オーディオＲＡＭ９１、Ａ／Ｄ（Analog to Digital）変換器９２、アンプ９３、中央可動ユ
ニット駆動回路９６、左可動ユニット駆動回路９７、右可動ユニット駆動回路９８、及び、回転灯駆動回路９９を含む。
【００６８】
サブＣＰＵ８１は、主制御回路４１から送信されたコマンドに基づいて、サブＲＯＭ８２に記憶されている制御プログラムに従い、映像、音、光の出力制御を行う。なお、サブＲＯＭ８２は、基本的には、プログラム記憶領域及びデータ記憶領域を有する。
【００６９】
プログラム記憶領域には、サブＣＰＵ８１が実行する各種制御プログラムが記憶される。なお、プログラム記憶領域に格納される制御プログラムには、例えば、主制御回路４１との通信を制御するための主基板通信タスク、演出用乱数値を抽出して演出内容（演出データ）の決定及び登録を行うための演出登録タスク、決定した演出内容に基づいて液晶表示装置１１による映像の表示を制御するための描画制御タスク、ランプ群７１による光の出力を制御するためのランプ制御タスク、スピーカ７０Ｌ，７０Ｒによる音の出力を制御するための音声制御タスク等のプログラムが含まれる。
【００７０】
データ記憶領域には、例えば、各種データテーブルを記憶する記憶領域、各種演出内容を構成する演出データを記憶する記憶領域、映像の作成に関するアニメーションデータを記憶する記憶領域、ＢＧＭ（Back-Ground Music）や効果音に関するサウンドデータを記
憶する記憶領域、光の点消灯のパターンに関するランプデータを記憶する記憶領域等の各種記憶領域が含まれる。
【００７１】
サブＲＡＭ８３は、決定された演出内容、演出データ等を登録する格納領域や、主制御回路４１から送信される内部当籤役等の各種データ等を格納する格納領域などを有する。
【００７２】
また、副制御回路４２には、図６に示すように、液晶表示装置１１、スピーカ７０Ｌ，７０Ｒ、ランプ群７１、左演出用スイッチ７２Ｌ、右演出用スイッチ７２Ｒ、中央可動ユニット１０５、左可動ユニット１０６、右可動ユニット１０７、及び、回転灯１２４等の周辺装置が接続される。すなわち、これらの周辺装置の動作は、副制御回路４２により制御される。
【００７３】
本実施形態では、サブＣＰＵ８１、レンダリングプロセッサ８４、描画用ＲＡＭ８５（フレームバッファを含む）及びドライバ８６は、演出内容により指定されたアニメーションデータに従って映像を作成し、該作成した映像は液晶表示装置１１により表示される。
【００７４】
サブＣＰＵ８１、ＤＳＰ９０、オーディオＲＡＭ９１、Ｄ／Ａ変換器９２及びアンプ９３は、演出内容により指定されたサウンドデータに従ってＢＧＭ等の音をスピーカ７０Ｌ，７０Ｒにより出力する。また、サブＣＰＵ８１は、演出内容により指定されたランプデータに従ってランプ群７１の点灯及び消灯を行う。
【００７５】
サブＣＰＵ８１及び中央可動ユニット駆動回路９６は、演出内容により指定された中央可動ユニット駆動データに従って中央可動ユニット１０５の駆動を行う。すなわち、中央可動ユニット１０５は、特定の演出が行われる場合に駆動され、可動部品３０９を液晶表示装置１１の表示部１１ａの一部を覆う位置まで移動させる。
【００７６】
また、サブＣＰＵ８１及び左可動ユニット駆動回路９７は、演出内容により指定された左可動ユニット駆動データに従って左可動ユニット１０６の駆動を行う。サブＣＰＵ８１及び右可動ユニット駆動回路９８は、演出内容により指定された右可動ユニット駆動データに従って右可動ユニット１０７の駆動を行う。また、サブＣＰＵ８１及び回転灯駆動回路９９は、演出内容により指定された回転灯駆動データに従って回転灯１２４の駆動を行う。
【００７７】
さらに、左演出用スイッチ７２Ｌ及び右演出用スイッチ７２Ｒはそれぞれ、遊技者により押下されたことを検出し、その検出結果を後述の副制御回路４２に送信する。
【００７８】
＜キャビネットの構成＞
次に、図７〜図１４を参照して、キャビネット２ａの詳細な構成について説明する。
図７は、キャビネット２ａを前方から見た斜視図である。図８は、キャビネット２ａを後方から見た斜視図である。図９は、キャビネット２ａの分解図である。図１０は、キャビネット２ａの後述の側枠部２５の分解図である。図１１は、後述の側枠部２５、第２天板枠部２５４及び底板枠部２７１の組み立て体３００と他の部材との関係を示すキャビネット２ａの分解図である。図１２は、後方からみたキャビネット２ａの後述の天板２２の分解図である。図１３は、後方から見たキャビネット２ａの後述の底板２１の分解図である。図１４は、図８のＸ−Ｘ線断面図である。
なお、以下の説明において、パチスロ１が載置される台（不図示）の載置面と水平な水平面上における一方向をＸ方向とし、同水平面上のＸ方向に直交する方向をＹ方向とする。また、Ｘ方向及びＹ方向に直交する方向をＺ方向（上下方向）とする。
また、パチスロ１に対して遊技者側を「前側」、その反対側を「後側」と称する場合がある。また、遊技者がパチスロ１を見て左側を「左側」、右側を「右側」と称する場合がある。また、左右方向はＸ方向と平行とし、前後方向はＹ方向と平行とする。
【００７９】
図７〜図９に示すように、キャビネット２ａは、背板２０と、背板２０に着脱可能に連結した底板２１、天板２２及び互いに対面する一対の右側板２３Ｒ、左側板２３Ｌによって形成されている。また、キャビネット２ａ内には、上述のとおり、金属製のミドルボード１３０が設けられている。
【００８０】
＜側板の構成＞
右側板２３Ｒは、キャビネット２ａの右側に配置されている。また、左側板２３Ｌは、キャビネット２ａの左側に配置されている。左側板２３Ｌの前部には、フロントドア２ｂ（図２参照）を回動可能に支持するためのヒンジ（不図示）が固定されるヒンジ固定部８が設けられている。なお、右側板２３Ｒと左側板２３Ｌとは、左側板２３Ｌにヒンジ固定部８（図７参照）が設けられている以外は、略左右対称であるため、対応する各構成部材に同一の符号を付し、以下の説明において左側板２３Ｌについての詳細な説明は省略する。また、以下の説明において、右側板２３Ｒ及び左側板２３Ｌを単に側板２３と総称する場合がある。
【００８１】
図９に示すように、右側板２３Ｒは、側内板２４と、側枠部２５と、を有している。側内板２４は、略矩形平板状に形成された木製の部材である。側内板２４は、長手方向が上下方向と略平行になるように、且つ、短手方向がＹ方向と平行になるように配置されている。また、側内板２４は、Ｘ方向に直交する外面２４ａ及び内面２４ｂを有している。側内板２４の略中央部には、把手７（図２参照）が嵌合する嵌合孔２０１が形成されている。側内板２４の嵌合孔の上方には、２つのミドルボード固定用孔２０２がＹ方向に並んで形成されている。側内板２４の嵌合孔２０１の後方には、２つの基板固定用孔２０３が上下方向に並んで形成されている。また、側内板２４の外縁は、側内板２４の他の箇所よりも板厚が薄く設定されている外縁部２０４を形成している。外縁部２０４における内面２４ｂは、外縁部２０４以外の箇所における内面２４ｂよりも外側に配置されている。また、外縁部２０４の前端部には、上下方向に所定の距離を空けて並んだ４つの側内板固定用孔２０５が形成されている。また、外縁部２０４の後端部には、上下方向に所定の距離を空けて並んだ４つの側内板固定用孔２０５が形成されている。
【００８２】
図９に示すように、側枠部２５は、側内板２４の外縁を囲む枠上に形成された金属製の部材である。側枠部２５は、前枠部２６、後枠部２７、上枠部２８及び下枠部２９を有している。
前枠部２６は、上下方向に延び、側枠部２５の前部を形成する。後枠部２７は、上下方向に延び、側枠部２５の後部を形成する。上枠部２８は、Ｙ方向に延び、側枠部２５の上部を形成する。下枠部２９は、Ｙ方向に延び、側枠部２５の下部を形成する。前枠部２６、後枠部２７、上枠部２８及び下枠部２９は、いずれも内部に筒孔を有する中空の略四角筒状に形成されている。
【００８３】
図１０に示すように、前枠部２６は、上下方向に延びる略矩形板状の外前枠部２０６と内前枠部２０７によって形成されている。
外前枠部２０６は、長手方向が上下方向と略平行になるように、且つ、短手方向がＹ方向と平行になるように配置されている。また、外前枠部２０６は、Ｘ方向に直交する一方の面２０６ａ及び他方の面を有している。外前枠部２０６のＹ方向の前端部及び後端部は、Ｘ方向に沿ってパチスロ１の内側へ折曲している。この後端部のパチスロ１の内側の端部は、Ｙ方向に沿って後方へ折曲して延び、第１側内板受け部２０８を形成している。第１側内板受け部２０８には、上下方向に所定の距離を空けて並んだ２つの側内板固定用孔２０９が形成されている。
【００８４】
内前枠部２０７は、長手方向が上下方向と略平行になるように、且つ、短手方向がＹ方向と平行になるように配置されている。また、内前枠部２０７は、Ｘ方向に直交する一方の面２０７ａ及び他方の面を有し、外前枠部２０６よりもパチスロ１の内側に配置され、外前枠部２０６に固定される。内前枠部２０７には、上下方向に所定の距離を空けて並んだ４つの側内板固定用孔２１０が形成されている。内前枠部２０７が外前枠部２０６に固定されると、内前枠部２０７の４つの側内板固定用孔２１０の内の中央の２つの側内板固定用孔２１０と、外前枠部２０６の２つの側内板固定用孔２０９とが連通する。
【００８５】
また、図１０に示すように、後枠部２７は、上下方向に延びる外後枠部２１１と内後枠部２１２によって形成されている。
外後枠部２１１は、水平方向の断面が略Ｌ字状になるように折曲した板状の部材である。外後枠部２１１は、Ｘ方向に直交する一方の面２１３ａ及び他方の面を有する第１外後枠片２１３と、Ｙ方向に直交する一方の面２１４ａ及び他方の面２１４ｂを有する第２外後枠片２１４と、を有している。第１外後枠片２１３の後端部と、第２外後枠片２１４の右端部と、が連続している。
【００８６】
第１外後枠片２１３の前端部は、Ｘ方向に沿ってパチスロ１の内側へ折曲している。この前端部のパチスロ１の内側の端部は、Ｙ方向に沿って前方へ折曲して延び、第２側内板受け部２１５を形成している。第２側内板受け部２１５には、上下方向に所定の距離を空けて並んだ４つの側内板固定用孔２１６が形成されている。
【００８７】
図１１に示すように、第２外後枠片２１４の左端部は、Ｙ方向に沿ってパチスロ１の内側へ折曲し、また、この左端部は、Ｘ方向に沿って左側へ折曲して延び、第１背板受け部２１７を形成している。第１背板受け部２１７には、上下方向に所定の距離を空けて並んだ２つの背板固定用孔２１８が形成されている。なお、第２外後枠片２１４の右側におけるＹ方向に直交する一方の平面は、後部平面２１９を形成する。
【００８８】
図１０及び図１４に示すように、内後枠部２１２は、水平方向の断面が略Ｌ字状になるように折曲した板状の部材である。内後枠部２１２は、Ｘ方向に直交する一方の平面及び他方の平面を有する第１内後枠片２２０と、Ｙ方向に直交する一方の平面及び他方の平面を有する第２内後枠片２２１と、を有している。第１内後枠片２２０の後端部と、第２内後枠片２２１の右端部と、が連続している。内後枠部２１２は、外後枠部２１１よりもパチスロ１の内側に配置され、外後枠部２１１に固定される。
【００８９】
図１０に示すように、第１内後枠片２２０には、上下方向に所定の距離を空けて並んだ４つの側内板固定用孔２２２が形成されている。また、第２内後枠片２２１には、上下方向に所定の距離を空けて並んだ２つの背板固定用孔２２３（図９参照）が形成されている。内後枠部２１２が外後枠部２１１に固定されると、外後枠部２１１の第２内板受け部２１５に形成された４つの側内板固定用孔２１６と内後枠部２１２の第１内後枠片２２０に形成された４つの側内板固定用孔２２２とが連通する。また、外後枠部２１１の第１背板受け部２１７に形成された２つの背板固定用孔２１８（図１１参照）と内後枠部２１２の第２内後枠片２２１に形成された２つの背板固定用孔２２３（図９参照）が連通する。
【００９０】
また、図１０に示すように、上枠部２８は、Ｙ方向に延びる外上枠部２２４と内上枠部２２５によって形成されている。内上枠部２２５は、Ｘ方向に直交する一方の面２２５ａ及び他方の面を有している。内上枠部２２５は、外上枠部２２４よりもパチスロ１の内側に配置され、外上枠部２２４のＹ方向の略中央部から後部に固定される。内上枠部２２５には、Ｙ方向に沿って所定の距離を空けて形成された２つの枠固定用孔２２６が形成されている。内上枠部２２５における枠固定用孔２２６の周辺は、パチスロ１の内側に向かって膨出する膨出部２２５ｃを形成し、内上枠部２２５の強度を高めている。また、膨出部２２５ｃは、側枠部２５と後述する第２天板枠部２５４とを固定する際の位置合わせ（位置決め）にも用いられる。
【００９１】
外上枠部２２４は、Ｘ方向に直交する一方の面２２７ａ及び他方の面を有している第１外上枠片２２７と、Ｙ方向に直交する一方の面２２８ａ（図１１参照）及び他方の面２２８ｂを有している第２外上枠片２２８と、を有している。第１外上枠片２２７の後端部と第２外上枠片２２８の右端部と、が連続している。
【００９２】
図１０に示すように、第１外上枠片２２７の上端部及び下端部は、Ｘ方向に沿ってパチスロ１の内側に折曲している。この下端部のパチスロ１の内側の端部は、下方に折曲して延び、第３側内板受け部２２９を形成している。第３側内板受け部２２９の前部には、側内板固定用孔２３０が形成されている。この側内板固定用孔２３０は、後述するように外上枠部２２４の前端部が前枠部２６の外前枠部２０６と内前枠部２０７とに挟持されると、内前枠部２０７の最も上方に位置する側内板固定用孔２１０と連通する。また第１外上枠片２２７の後部には、下方に延びる第１上挿入部２３１が形成されている。第１上挿入部２３１は、後枠部２７の筒孔に上方から挿入される。なお、第３側内板受け部２２９の後端部には、第１上挿入部２３１が後枠部２７の筒孔に上方から挿入されたときに、外後枠部２１１の第２側内板受け部２１５の上端部を配置するための切り欠部２３２が形成されている。
【００９３】
また、図１１に示すように、第２外上枠片２２８の左側の端部は、Ｙ方向に沿ってパチスロ１の内側へ折曲し、また、この端部は、Ｘ方向に沿って左側へ折曲して延び、第２背板受け部２３３を形成している。また、また第２外上枠片２２８の右側の下部には、下方に延びる第２上挿入部（不図示）が形成されている。第２上挿入部は、後枠部２７の筒孔に上方から挿入される。なお、第２外上枠片２２８の右側におけるＹ方向に直交する一方の平面は、後部平面２３５を形成する。
【００９４】
また、図１０に示すように、下枠部２９は、Ｙ方向に延びる外下枠部２３６と内下枠部２３７によって形成されている。内下枠部２３７は、Ｘ方向に直交する一方の面２３７ａ及び他方の面を有している。内下枠部２３７は、外下枠部２３６よりもパチスロ１の内側に配置され、外下枠部２３６のＹ方向の略中央部から後部に固定される。内下枠部２３７には、Ｙ方向に沿って所定の距離を空けて形成された２つの枠固定用孔２３８が形成されている。内下枠部２３７における枠固定用孔２３８の周辺は、パチスロ１の内側に向かって膨出する膨出部２３７ｃを形成し、内下枠部２３７の強度を高めている。また、膨出部２３７ｃは、側枠部２５と後述する底板枠部２７１とを固定する際の位置合わせ（位置決め）にも用いられる。
【００９５】
外下枠部２３６は、Ｘ方向に直交する一方の面２３９ａ及び他方の面を有している第１外下枠片２３９と、Ｙ方向に直交する一方の面２４０ａ（図１１参照）及び他方の面２４０ｂを有している第２外下枠片２４０と、を有している。第１外下枠片２３９の後端部と、第２外下枠片２４０の右端部と、が連続している。
【００９６】
第１外下枠片２３９の上端部及び下端部は、Ｘ方向に沿ってパチスロ１の内側に折曲している。この上端部のパチスロ１の内側の端部は、上方に折曲して延び、第４側内板受け部２４１を形成している。第４側内板受け部２４１の前部には、側内板固定用孔２４２が形成されている。この側内板固定用孔２４２は、後述するように外下枠部２３６の前端部が前枠部２６の外前枠部２０６と内前枠部２０７とに挟持されると、内前枠部２０７の最も下方に位置する側内板固定用孔２１０と連通する。また第１外下枠片２３９の後部には、上方に延びる第１下挿入部２４３が形成されている。第１下挿入部２４３は、後枠部２７の筒孔に下方から挿入される。なお、第４側内板受け部２４１の後端部には、第１下挿入部２４３が後枠部２７の筒孔に上方から挿入されたときに、後枠部２７の外後枠部２１１の第２側内板受け部２１５の下端部を配置するための切り欠部２４４が形成されている。
【００９７】
また、図１１に示すように、第２外下枠片２４０の左側の端部は、Ｙ方向に沿ってパチスロ１の内側へ折曲し、また、この端部は、Ｘ方向に沿って左側へ折曲して延び、第３背板受け部２４９を形成している。また、また第２外下枠片２４０の右側の下部には、上方に延びる第２下挿入部２４６（図１０参照）が形成されている。第２下挿入部２４６は、後枠部２７の筒孔に下方から挿入される。なお、第２外下枠片２４０の右側におけるＹ方向に直交する一方の平面は、後部平面２４７（図１１参照）を形成する。
【００９８】
図９に示すように、前枠部２６及び後枠部２７に上枠部２８及び下枠部２９が固定されて、側枠部２５が形成される。具体的には、後枠部２７の筒孔に、上枠部２８の第１上挿入部２３１（図１０参照）及び第２上挿入部を上方から挿入し、後枠部２７と上枠部２８とを固定する。また、後枠部２７の筒孔に、下枠部２９の第１下挿入部２４３及び第２下挿入部２４６（図１０参照）を下方から挿入し、後枠部２７と下枠部２９とを固定する。そして、前枠部２６の外前枠部２０６と内前枠部２０７（図１０参照）に、外上枠部２２４の前端部及び外下枠部２３６の前端部を挟持させて、前枠部２６と上枠部２８及び下枠部２９とを固定する。なお、側枠部２５を構成するこれら構成部材の固定方法は、溶着、ボルト締結、かしめ締結など適宜選択可能である。
【００９９】
形成された側枠部２５において、第１側内板受け部２０８、第２側内板受け部２１５、第３側内板受け部２２９及び第４側内板受け部２４１のＸ方向に直交する一方の面（外側の面）は、略面一に連続し、略矩形枠状の側内板受け部２４８を形成する。側内板受け部２４８は、パチスロ１の外側から側枠部２５内に挿入される側内板２４を受ける。また、側内板受け部２４８は、側内板２４と側枠部２５との隙間から不正行為のための部材が侵入することを防止する。
【０１００】
また、外上枠部２２４の一方の面２２７ａ及び外下枠部２３６の一方の面２３９ａは、外前枠部２０６の一方の面２０６ａ及び外後枠部２１１の一方の面２１３ａよりも若干パチスロ１の内側に配置される。
【０１０１】
また、図１１に示すように、外後枠部２１１の第１背面受け部２１７、外上枠部２２４の第２背面受け部２３３及び外下枠部２３６の第３背面受け部２４９のＹ方向に直交する一方の平面は、略面一に連続する。また、外後枠部２１１の後部平面２１９は、外上枠部２２４の後部平面２３５及び外下枠部２３６の後部平面２４７よりも若干後方に位置するように配置される。
【０１０２】
＜天板の構成＞
図９及び図１２に示すように、天板２２は、２つの天板内板２５０と、天板枠部２５１と、を有している。天板内板２５０は、略四角平板状に形成された木製の部材である。
図１２に示すように、天板内板２５０は、上下方向に直交する一方の平面及び他方の平面を有している。天板内板２５０の略中央部には、Ｙ方向に沿って所定の距離を空けて並ぶ２つの装置固定孔２５２が形成されている。また、天板内板２５０の下面には、天板内板固定用孔（不図示）が形成されている。また、天板内板２５０には、いわゆる島設備にパチスロ１を設置する際に、パチスロ１の内側から釘（不図示）が打ちつけられる。
【０１０３】
天板枠部２５１は、第１天板枠部２５３と、第２天板枠部２５４とを有している。第１天板枠部２５３は、略矩形平板状に形成された金属製の部材であり、長手方向がＸ方向と平行になるように、且つ、短手方向がＹ方向と平行になるように配置されている。また、第１天板枠部２５３は、上下方向に直交する一方の面２５３ａ及び他方の面を有している。また、第１天板枠部２５３は、Ｘ方向に所定の距離を空けて並んだ２つの凹部２５３ｂを有している。
【０１０４】
図１２に示すように、凹部２５３ｂの底部２５５は、上下方向に直交する一方の面２５５ａ及び他方の面を有し、底部の中央部には、上下方向に貫通孔２５６が設けられている。また、底部２５５には、上下方向に貫通する天板内板固定用孔（不図示）が形成されている。天板内板２５０が上方から凹部２５３ｂ内に収容されると、天板内板２５０の下面の外縁部分が底部２５５と接触する。そして、天板内板２５０の天板内板固定用孔と底部２５５の天板内板固定用孔とが連通する。また、凹部２５３ｂの外縁部分は、下方から上方に向かって外側に広がるように形成された傾斜部２５７を形成している。この傾斜部２５７は、パチスロ１を島設備に設置する際に天板内板２５０にパチスロ１の内側から打ちつけられる釘（不図示）が凹部２５３ｂの内壁に干渉しないように（掠めないように）形成されている。
【０１０５】
また、図１２に示すように、第１天板枠部２５３の前端部、後端部及びＸ方向（左右方向）の両端部には、下方に折曲して延びる上縁部２５８ａ，２５８ｂ，２５８ｃが形成されている。なお、第１天板枠部２５３の前端部に形成された上縁部２５８ａとＸ方向の両端部に形成された上縁部２５８ｃとの間には、側板２３の前枠部２６における外前枠部２０６の上端部を介在させるための切り欠部２５９が形成されている。
【０１０６】
第２天板枠部２５４は、略四角枠状の金属製の部材であり、第１天板枠部２５３の内側で第１天板枠部２５３を支持する。図１２に示すように、第２天板枠部２５４は、前天板枠部２６０、後天板枠部２６１及び前天板枠部２６０と後天板枠部２６１を連結する一対の連結枠部２６２Ｒ，２６２Ｌとを有している。前天板枠部２６０は、略矩形平板状の部材であり、長手方向がＸ方向と平行になるように、且つ、短手方向がＹ方向と平行になるように配置されている。
【０１０７】
後天板枠部２６１は、ＹＺ方向の断面が略Ｌ字状の板状の部材であり、長手方向がＸ方向と平行になるように、且つ、短手方向がＹ方向と平行になるように配置されている。後天板枠部２６１は、上下方向に直交する一方の平面２６３ａ及び他方の平面を有する第１後天板枠片２６３と、Ｙ方向に直交する一方の平面２６４ａ及び他方の平面を有する第２後天板枠片２６４と、を有している。第１後天板枠片２６３の後端部と、第２後天板枠片２６４の上端部と、が連続している。第２後天板枠片２６４のＸ方向の両端部には、背板固定用孔２６５が形成されている。
【０１０８】
一対の連結枠部２６２Ｒ，２６２Ｌにおける左側に配置された連結枠部２６２Ｌは、Ｙ方向に沿って延びる板状の部材であり、Ｘ方向に直交する一方の面２６６ａ及び他方の面を有する第１連結天板枠片２６６と、Ｙ方向に直交する一方の面２６７ａ及び他方の面２６７ｂを有する第２連結天板枠片２６７と、を有している。第１連結天板枠片２６６の後端部と、第２連結天板枠片２６７の左端部と、が連続している。
【０１０９】
第１連結天板枠片２６６の上端部は、Ｘ方向に沿ってパチスロ１の内側に折曲している。また、第１連結天板枠片２６６の下端部には、Ｙ方向に所定の距離を空けて２つの側内板固定用孔２６８が形成されている。また、第１連結天板枠片２６６の略中央部には、Ｙ方向に所定の距離を空けて２つの枠固定用孔２６９が形成されている。第２連結天板枠片２６７の右端部には、背板固定用孔２７０（図９参照）が形成されている。また、第１連結天板枠片２６６における枠固定用孔２６９の周辺は、パチスロ１の内側に向かって膨出する膨出部２６６ｃを形成し、第１連結天板枠片２６６の強度を高めている。また、膨出部２６６ｃは、側枠部２５と第２天板枠部２５４とを固定する際の位置合わせ（位置決め）にも用いられる。
【０１１０】
右側に配置された連結枠部２６２Ｒは、上述の左側に配置された連結枠部２６２Ｌと、略左右対称であるため、対応する各構成部材に同一の符号を付し、その詳細な説明を省略する。また、以下の説明において、連結枠部２６２Ｒ及び連結枠部２６２Ｌを連結枠部２６２と総称する場合がある。
【０１１１】
前天板枠部２６０のＸ方向の両端部が、連結枠部２６２の前端部に固定され、後天板枠部２６１のＸ方向の両端部が、連結枠部２６２の後端部に固定されて、第２天板枠部２５４が形成されている。後天板枠部２６１が連結枠部２６２に固定されると、後天板枠部２６１に形成された背板固定用孔２６５と、連結枠部２６２に形成された背板固定用孔２７０（図９参照）が連通する。なお、第２天板枠部２５４を構成するこれら構成部材の固定方法は、溶着、ボルト締結、かしめ締結など適宜選択可能である。
【０１１２】
＜底板の構成＞
図９及び図１３に示すように、底板２１は、底板枠部２７１と、底板本体部２７２と、を有している。底板枠部２７１は、略四角枠状の金属製の部材である。図１３に示すように、底板枠部２７１は、前底枠部２７３、後底枠部２７４及び前底枠部２７３と後底枠部２７４を連結する一対の連結枠部２７５Ｒ，２７５Ｌとを有している。
【０１１３】
前底枠部２７３は、略矩形平板状の部材であり、長手方向がＸ方向と平行になるように、且つ、短手方向がＹ方向と平行になるように配置されている。また、前底枠部２７３は、後部に上方へ膨らむように形成された膨出部２７６を有している。
【０１１４】
後底枠部２７４は、ＹＺ方向の断面が略Ｌ字状の板状の部材であり、長手方向がＸ方向と平行になるように、且つ、短手方向がＹ方向と平行になるように配置されている。後底枠部２７４は、上下方向に直交する一方の平面２７７ａ（図９参照）及び他方の平面を有
する第１後底枠片２７７と、Ｙ方向に直交する一方の平面２７８ａ及び他方の平面を有する第２後底枠片２７８と、を有している。第１後底枠片２７７の後端部と第２後底枠片２７８の下端部が連続している。第１後底枠片２７７のＸ方向の略中央部には、ホッパー装置３３（図４参照）が取り付けられるホッパー取り付け部２７９が設けられている。また、第２後底枠片２７８のＸ方向の両端部には、背板固定用孔２８０が形成されている。
【０１１５】
一対の連結枠部２７５Ｒ、２７５Ｌにおける左側に配置された連結枠部２７５Ｌは、Ｙ方向に沿って延びる板状の部材であり、Ｘ方向に直交する一方の面２８１ａ及び他方の面を有する第１連結底枠片２８１と、Ｙ方向に直交する一方の面２８２ａ及び他方の面を有する第２連結底枠片２８２と、を有している。第１連結底枠片２８１の後端部と、第２連結底枠片２８２の左端部と、が連続している。
【０１１６】
第１連結底枠片２８１の下端部は、Ｘ方向に沿ってパチスロ１の内側に折曲している。また、第１連結底枠片２８１の上端部には、Ｙ方向に所定の距離を空けて２つの側内板固定用孔２８３が形成されている。また、第１連結底枠片２８１の略中央部には、Ｙ方向に所定の距離を空けて２つの枠固定用孔２８４が形成されている。第２連結底枠片２８２の左端部には、背板固定用孔２８５（図９参照）が形成されている。また、第１連結底枠片２８１における枠固定用孔２８４の周辺は、パチスロ１の内側に向かって膨出する膨出部２８１ｃを形成し、第１連結底枠片２８１の強度を高めている。また、膨出部２８１ｃは、側枠部２５と底板枠部２７１とを固定する際の位置合わせ（位置決め）にも用いられる。
【０１１７】
右側に配置された連結枠部２７５Ｒは、上述の左側に配置された連結枠部２７５Ｌと、略左右対称であるため、対応する各構成部材に同一の符号を付し、その詳細な説明を省略する。また、以下の説明において、連結枠部２７５Ｒ及び連結枠部２７５Ｌを連結枠部２７５と総称する場合がある。
【０１１８】
前底枠部２７３のＸ方向の両端部が、連結枠部２７５の前端部に固定され、後底枠部２７４のＸ方向の両端部が、連結枠部２７５の後端部に固定され、底板枠部２７１が形成されている。後底枠部２７４が連結枠部２７５に固定されると、後底枠部２７４に形成された背板固定用孔２８０と、連結枠部２７５に形成された背板固定用孔２８５（図９参照）が連通する。なお、底板枠部２７１を構成するこれら構成部材の固定方法は、溶着、ボルト締結、かしめ締結など適宜選択可能である。
【０１１９】
図１３に示すように、底板本体部２７２は、略矩形平板状の金属製の部材であり、長手方向がＸ方向と平行になるように、且つ、短手方向がＹ方向と平行になるように配置されている。底板本体部２７２は、上下方向に直交する一方の面２７２ａ及び他方の面を有している。
【０１２０】
底板本体部２７２の前端部、後端部及びＸ方向（左右方向）の両端部には、上方に折曲して延びる下縁部２８６ａ，２８６ｂ，２８６ｃが形成されている。なお、底板本体部２７２の前端部に形成された下縁部２８６ａとＸ方向の両端部に形成された下縁部２８６ｃとの間には、側板２３の前枠部２６における外前枠部２０６の下端部を介在させるための切り欠部２８７形成されている。
【０１２１】
＜背板の構成＞
図９に示すように、背板２０は、略矩形平板状の木製の部材であり、長手方向が上下方向と平行になるように、且つ、短手方向がＸ方向と平行になるように、配置されている。また、背板２０は、Ｙ方向に直交する一方の面２０ａ（図８参照）及び他方の面２０ｂを有している。
【０１２２】
背板２０の上端部には、Ｘ方向に所定の距離を空けて並んだ２つの背板固定用孔２９０ａが形成されている。また、背板２０の下端部には、Ｘ方向に所定の距離を空けて並んだ２つの背板固定用孔２９０ｂが形成されている。また、背板２０の左右両端部における略中央部には、上下方向に所定の距離を空けて２つの背板固定用孔２９０ｃが形成されている。また、背板２０の略中央部には、２つのミドルボード固定用孔２９１がＹ方向に所定の距離を空けて並んで形成されている。また、背板２０の左側下部には電源装置３４（図４参照）に電力を供給するための電源コードであるＡＣコード（不図示）を通すための開口２９２が形成されている。
【０１２３】
＜ミドルボードの構成＞
図９に示すように、ミドルボード１３０は、略矩形平板状の金属製の部材であり、長手方向がＸ方向と平行になるように、且つ、短手方向がＹ方向と平行になるように、配置されている。
【０１２４】
ミドルボード１３０のＸ方向の両端部及び後端部には、上方に折曲して延びる折曲部１３１ａ，１３１ｂが形成されている。この後端部に形成されている折曲部１３１ｂのＸ方向の両端部には、ミドルボード固定用孔１３２が形成されている。このミドルボード固定用孔１３２は、背板２０に形成されているミドルボード固定用孔２９１と連通する。
【０１２５】
また、図９に示すように、ミドルボード１３０のＸ方向の両端部の下面には、略矩形平板状のミドルボード固定板１３３が設けられている。ミドルボード固定板１３３は、長手方向がＹ方向と平行に、且つ、短手方向が上下方向と平行に配置されている。また、ミドルボード固定板１３３のＹ方向の両端部には、ミドルボード固定用孔１３４が形成されている。このミドルボード固定用孔１３４は、側内板２４に形成されているミドルボード固定用孔２０２と連通する。
【０１２６】
＜側枠部、第２天板枠部及び底板枠部の組み立て体＞
図１１に示す側枠部２５、第２天板枠部２５４及び底板枠部２７１の組み立て体３００は、側枠部２５を、第２天板枠部２５４及び底板枠部２７１に固定することによって形成されている。
【０１２７】
側枠部２５と第２天板枠部２５４とを固定するには、まず、側枠部２５における上枠部２８の内上枠部２２５（図１０参照）と第２天板枠部２５４の連結枠部２６２を接触させる。このとき、内上枠部２２５の膨出部２２５ｃ（図１０参照）と連結枠部２６２の膨出部２６６ｃ（図１２参照）とを重ねて位置合わせを行う。そして、内上枠部２２５の枠固定用孔２２６（図１０参照）と連結枠部２６２の枠固定用孔２６９（図１２参照）を連通させ、連通させたこれら枠固定用孔にボルト（不図示）を挿通し、側枠部２５と第２天板枠部２５４とを固定する。
【０１２８】
側枠部２５と底板枠部２７１とを固定するには、まず、側枠部２５における下枠部２９の内下枠部２３７（図１０参照）と底板枠部２７１の連結枠部２７５を接触させる。このとき、内下枠部２３７の膨出部２３７ｃ（図１０参照）と連結枠部２７５の膨出部２８１ｃ（図１３参照）とを重ねて位置合わせを行う。そして、内下枠部２３７の枠固定用孔２３８（図１０参照）と連結枠部２７５の枠固定用孔２８４（図１３参照）を連通させ、連通させたこれら枠固定用孔にボルト（不図示）を挿通し、側枠部２５と底板枠部２７１とを固定する。
【０１２９】
このように形成された組み立て体３００では、第２天板枠部２５４の連結枠部２６２における第１連結天板枠片２６６の前部に形成された側内板固定用孔２６８（図１２参照）が、第３側内板受け部２２９の側内板固定用孔２３０（図１０参照）及び内前枠部２０７の最も上方に位置する側内板固定用孔２１０（図１０参照）と連通する。また、第１連結天板枠片２６６の後部に形成された側内板固定用孔２６８（図１２参照）が、第２側内板受け部２１５の最も上方に位置する側内板固定用孔２１６（図１０参照）及び内後枠部２１２の最も上方に位置する側内板固定用孔２２２（図１０参照）と連通する。
【０１３０】
また、底板枠部の連結枠部２７５における第１連結底枠片２８１の前部に形成された側内板固定用孔２８３が、第４側内板受け部２４１の側内板固定用孔２４２（図１０参照）及び内前枠部２０７の最も下方に位置する側内板固定用孔２１０（図１０参照）と連通する。また、第１連結底枠片２８１の後部に形成された側内板固定用孔２８３が、第２側内板受け部２１５の最も下方に位置する側内板固定用孔２２２（図１０参照）及び内後枠部２１２の最も下方に位置する側内板固定用孔２２２（図１０参照）と連通する。
【０１３１】
また、図１１に示すように、後枠部２７の第１背板受け部２１７、上枠部２８の第２背板受け部２３３及び下枠部２９の第３背板受け部２４９のＹ方向に直交する一方の平面と、後天板枠部２６１の第２後天板枠片２６４の平面２６４ａ及び後底枠部２７４の第２後底枠片２７８の平面２７８ａと、が略面一に連続し、略矩形枠状の背板受け部３０１を形成する。
【０１３２】
＜組み立て体と側内板との固定態様＞
図１１に示す組み立て体３００に対して、側内板２４をＸ方向の外側から挿入し、側内板２４の外縁部２０４の内面２４ｂを側枠部２５の側内板受け部２４８に接触させる。このとき、側内板２４の前上部に形成された側内板固定用孔２０５が、第３側内板受け部２２９の側内板固定用孔２３０（図１０参照）、内前枠部２０７の最も上方に位置する側内板固定用孔２１０（図１０参照）及び第２天板枠部２５４の連結枠部２６２の前部に形成された側内板固定用孔２６８と連通する。また、側内板２４の後上部に形成された側内板固定用孔２６８が、第２側内板受け部２１５の最も上方に位置する側内板固定用孔２１６（図１０参照）、内後枠部２１２の最も上方に位置する側内板固定用孔２２２（図１０参照）及び第１連結天板枠片２６６の後部に形成された側内板固定用孔２６８（図１２参照）と連通する。側内板２４の上部は、これら連通した側内板固定用孔に組み立て体３００の内側から挿通するボルト（不図示）によって、組み立て体３００に固定される。すなわち、側内板２４の上部は、側枠部２５及び第２天板枠部２５４に固定される。なお、上記の連通した側内固定用孔に組み立て体３００の外側からボルトを挿通してもよい。
【０１３３】
また、側内板２４の前下部に形成された側内板固定用孔２０５が、第４側内板受け部２４１の側内板固定用孔２４２（図１０参照）、内前枠部２０７の最も下方に位置する側内板固定用孔２１０（図１０参照）及び底板枠部２７１の連結枠部２７５の前部に形成された側内板固定用孔２８３と連通する。また、側内板２４の後下部に形成された側内板固定用孔２０５が、第２側内板受け部２１５の最も下方に位置する側内板固定用孔２１６（図１０参照）、内後枠部２１２の最も下方に位置する側内板固定用孔２２２（図１０参照）及び底板枠部２７１の連結枠部２７５の後部に形成された側内板固定用孔２８３（図１３参照）と連通する。側内板２４の下部は、これら連通した側内板固定用孔に組み立て体３００の内側から挿通するボルト（不図示）によって、組み立て体３００に固定される。すなわち、側内板２４の下部は、側枠部２５及び底板枠部２７１に固定される。なお、上記の連通した側内固定用孔に組み立て体３００の外側からボルトを挿通してもよい。
【０１３４】
また、側内板２４の中央部に形成された側内板固定用孔２０５が、外前枠部２０６及び内前枠部２０７の中央に形成された側内板固定用孔２０９，２１０（図１０参照）並びに外後枠部２１１及び内後枠部２１２の中央に形成された側内板固定用孔２１６，２２２（図１０参照）と連通し、これら連通した側内板固定用孔に組み立て体３００の内側から挿通するボルト（不図示）によって、側内板２４の中央部が、組み立て体３００、具体的には、側枠部２５に固定される。なお、上記の連通した側内固定用孔に組み立て体３００の外側からボルトを挿通してもよい。
【０１３５】
図１４に示すように、組み立て体３００に固定された側内板２４の外面２４ａは、外後枠部２１１の第１外後枠片２１３の一方の面２１３ａよりも若干パチスロ１の外側に配置される。また、同様に、図示は省略するが、側内板２４の外面２４ａは、外前枠部２０６の一方の面２０６ａよりも若干パチスロ１の外側に配置される。
【０１３６】
＜組み立て体と背板との固定態様＞
また、図１１に示す組み立て体３００に対して、背板２０を後方から挿入し、背板２０の外縁における他方の面２０ｂを背板受け部３０１に接触させる。このとき、背板２０の上部に形成された背板固定用孔２９０ａが、第２天板枠部２５４における後天板枠部２６１の背板固定用孔２６５及び連結枠部２６２に形成された背板固定用孔２７０（図９参照）と連通する。背板２０の上部は、これら連通した背板固定用孔に挿通するボルト（不図示）によって、組み立て体３００に固定される。すなわち、背板２０の上部は、第２天板枠部２５４に固定される。
【０１３７】
また、背板２０の下部に形成された背板固定用孔２９０ｂが、底板枠部２７１における後底枠部２７４の背板固定用孔２８０及び連結枠部２７５に形成された背板固定用孔２８５（図９参照）と連通する。背板２０の下部は、これら連通した背板固定用孔に挿通するボルト（不図示）によって、組み立て体３００に固定される。すなわち、背板２０の下部は、底板枠部２７１に固定される。
【０１３８】
また、背板２０の中央部に形成された背板固定用孔２９０ｃが、後枠部２７の第１背板受け部２１７に形成された背板固定用孔２１８と内後枠部２１２の第２内後枠片２２１に形成された背板固定用孔２２３（図９参照）に連通する。これら連通した背板固定用孔に挿通するボルト（不図示）によって、背板２０の中央部が、組み立て体３００、具体的には、側枠部２５に固定される。
【０１３９】
図１４に示すように、組み立て体３００に固定された背板２０の一方の面２０ａは、外後枠部２１１の第２外後枠片２１４の後部平面２１９よりも、パチスロ１の内側に配置される。
【０１４０】
＜組み立て体と天板の固定態様＞
このように、側内板２４及び背板２０が固定された組み立て体３００に、第１天板枠部２５３を上方から嵌合する。第１天板枠部２５３を側内板２４及び背板２０が固定された組み立て体３００に嵌合すると、第１天板枠部２５３は、第２天板枠部２５４に支持される。また、第１天板枠部２５３の後端部に形成された上縁部２５８ｂが、背板２０の上部及び外上枠部２２４の第２外上枠片２２８を覆う（図８参照）。また、第１天板枠部２５３のＸ方向の両端部に形成された上縁部２５８ｃが外上枠部２２４の第１外上枠片２２７を覆う（図８参照）。そして、図７に示すように、第１天板枠部２５３の前端部に形成された上縁部２５８ａとＸ方向の両端部に形成された上縁部２５８ｃとの間に形成された切り欠部２５９に、側板２３の前枠部２６における外前枠部２０６の上端部が介在する。また、図８に示すように、第１天板枠部２５３の後端部に形成された上縁部２５８ｂの外面と、外後枠部２１１の後部平面２１９とが、面一に連続する。また、第１天板枠部２５３のＸ方向の両端部に形成された上縁部２５８ｃの外面と、側内板２４の外面２４ａと、が面一に連続する。
【０１４１】
このように、組み立て体３００に嵌合した第１天板枠部２５３における凹部２５３ｂ内に、天板内板２５０が上方から収容される。そして、連通した天板内板２５０の天板内板固定用孔と第１天板枠部２５３の底部２５５（図１３参照）の天板内板固定用孔とが連通し、連通したこれら天板内板固定用孔に組み立て体３００の内側から挿通するボルト（不図示）によって、第１天板枠部２５３と天板内板２５０とが固定される。なお、天板内板２５０を固定した第１天板枠部２５３を組み立て体３００に嵌合させてもよい。
【０１４２】
＜組み立て体と底板との固定態様＞
また、側内板２４及び背板２０が固定された組み立て体３００に、底板本体部２７２を下方から嵌合する。底板本体部２７２を側内板２４及び背板２０が固定された組み立て体３００に嵌合すると、底板本体部２７２の後端部に形成された下縁部２８６ｂが、背板２０の下部及び外下枠部２３６の第２外下枠片２４０を覆う（図８参照）。また、底板本体部２７２のＸ方向の両端部に形成された下縁部２８６ｃが外下枠部２３６の第１外下枠片２３９を覆う（図８参照）。そして、底板本体部２７２の前端部に形成された下縁部２８６ａとＸ方向の両端部に形成された下縁部２８６ｃとの間に形成された切り欠部２８７に、側板２３の前枠部２６における外前枠部２０６の下端部が介在する。また、図８に示すように、底板本体部２７２の後端部に形成された下縁部２８６ｃの外面と、外後枠部２１１の後部平面２１９とが、面一に連続する。また、底板本体部２７２のＸ方向の両端部に形成された下縁部２８６ｃの外面と、側内板２４の外面２４ａと、が面一に連続する。
【０１４３】
＜組み立て体とミドルボードとの固定態様＞
図７に示すように、ミドルボード１３０は、組み立て体３００の前方から組み立て体３００内部に挿入され、ミドルボードの折曲部１３１ｂが背板２０に接触する。折曲部１３１ｂが背板２０に接触すると、折曲部１３１ｂに形成されているミドルボード固定用孔１３２と、背板２０に形成されているミドルボード固定用孔２９１（図８参照）と、が連通する。これら連通したミドルボード固定用孔を組み立て体３００の内側から挿通するボルト（不図示）によって、ミドルボード１３０は、背板２０に固定される。なお、上記の連通したミドルボード固定用孔に組み立て体３００の外側からボルトを挿通してもよい。
【０１４４】
また、ミドルボード固定板１３３と側内板２４とが接触する。ミドルボード固定板１３３と側内板２４とが接触すると、ミドルボード固定板１３３に形成されているミドルボード固定用孔１３４（図９参照）と、側内板２４に形成されているミドルボード固定用孔２０２が連通する。これら連通したミドルボード固定用孔に組み立て体３００の内側から挿通するボルト（不図示）によって、ミドルボードは、側内板に固定される。なお、上記の連通したミドルボード固定用孔に組み立て体３００の外側からボルトを挿通してもよい。
【０１４５】
＜作用＞
本実施形態のパチスロ１では、パチスロ１の保管時において、キャビネット２ａを、背板２０、底板２１、天板２２及び側板２３に分解して保管することができる。したがって、保管スペースを削減することができる。
【０１４６】
また、側板２３は、側内板２４と側枠部２５に分解できる。また、側枠部２５を構成する構成部材を、側枠部２５を形成後に分解可能な固定方法、例えばボルト締結やかしめ締結で固定した場合、側枠部２５を、保管時に、前枠部２６、後枠部２７、上枠部２８及び下枠部２９に分解することができる。したがって、保管スペースを更に削減することができる。
【０１４７】
また、天板２２は、天板内板２５０、第１天板枠部２５３及び第２天板枠部２５４に分解できる。また、第２天板枠部２５４を構成する構成部材を、第２天板枠部２５４を形成後に分解可能な固定方法、例えばボルト締結やかしめ締結で固定した場合、第２天板枠部２５４を、前天板枠部２６０、後天板枠部２６１及び連結枠部２６２に分解できる。したがって、保管スペースを更に削減することができる。
【０１４８】
また、底板２１は、底板本体部２７２と底板枠部２７１に分解できる。また、底板枠部２７１を構成する構成部材を、底板枠部２７１を形成後に分解可能な固定方法、例えばボルト締結やかしめ締結で固定した場合、底板枠部２７１を、前底枠部２７３、後底枠部２７４及び連結枠部２７５に分解できる。したがって、保管スペースを更に削減することができる。
【０１４９】
また、木製の側内板２４、背板２０及び天板内板２５０を設けたので、金属製の側内板、背板及び天板内板２５０を設ける場合に比べて、設計変更に容易に対応することができる。例えば、ミドルボード１３０を上方又は下方に移動する設計変更があり、ミドルボード固定用孔を新たに形成しなければならない場合、木製の側内板２４及び背板２０にミドルボード固定用孔を形成する加工は、金属製の側内板及び背板にミドルボード固定用孔を形成する加工よりも容易に行うことができる。また、各基板の取り付け位置の変更に伴う側内板２４における基板固定用孔２０３（図７参照）の位置の変更や背板２０における配線のための開口２９２の位置の変更のための加工も容易に行うことができる。また、天板内板２５０に種々の装置を固定するための固定用孔を新たに形成する加工も容易に行うことができる。
【０１５０】
また、上記のように、ミドルボード１３０の配置に関する設計変更に容易に対応できるので、リールに関する設計の自由度が増す。すなわち、比較的大径のリールを搭載する場合には、ミドルボード１３０の取り付け位置を下側に設定し、ミドルボード１３０にリールを載置するような構成が採用できる。また、比較的小径のリールを搭載する場合には、ミドルボード１３０の取り付け位置を上側に設定し、ミドルボード１３０にリールを吊り下げるような構成が採用できる。
【０１５１】
また、キャビネット２ａ内における種々の装置の配置が大きく異なる機種に、キャビネット２ａを再利用する場合でも、側枠部２５及び天板枠部２５１は加工せずに使用することができる。したがって、再利用に係るコストを削減することができる。
【０１５２】
以上、本発明者によってなされた発明を適用した実施の形態について説明した。しかしながら、上記実施の形態による発明の開示の一部をなす論述及び図面により本発明は限定されることはなく、特許請求の範囲に記載した発明の要旨を逸脱しない範囲内で種々の変形実施が可能である。
【０１５３】
例えば、本実施形態では、木製の側内板２４、背板２０及び天板内板２５０を用いる態様を説明したが、側内板２４、背板２０及び天板内板２５０の原材料は木に限らず、金属よりも加工が容易なものであればよい。例えば、樹脂製の側内板及び背板を用いてもよい。
【０１５４】
また、本実施形態では、側板２３及び天板２２を、木製の内板及びこの内板を囲む金属製の枠で構成する態様を説明したが、これに限らず、キャビネット２ａを構成する背板２０、底板２１、天板２２及び側板２３のすくなくともいずれか一つが木製の内板及びこの内板を囲む金属製の枠という構成であればよい。
【０１５５】
また、本実施形態では、背板２０、側内板２４や天板内板２５０をボルト締結する態様を説明したが、構成部材を着脱可能に固定するその他の固定方法、例えばかしめ締結など、を用いてもよい。
【符号の説明】
【０１５６】
１…パチスロ（遊技機）、２…外装体、２ａ…キャビネット、２ｂ…フロントドア、３Ｌ…左リール、３Ｃ…中リール、３Ｒ…右リール、４Ｌ，４Ｃ，４Ｒ…表示窓、１１…液晶表示装置、１６…スタートレバー、１７Ｌ…左ストップボタン、１７Ｃ…中ストップボタン、１７Ｒ…右ストップボタン、  ２０…背板、  ２１…底板、  ２２…天板、  ２３…側板、  ２３Ｌ…左側板、  ２３Ｒ…右側板、  ２４…側内板、  ２５…側枠部、  ４１…主制御回路（内部当籤役決定手段、停止制御手段、払出手段）、４２…副制御回路、５０…マイクロコンピュータ、５１…メインＣＰＵ、５２…メインＲＯＭ、５３…メインＲＡＭ、５６…乱数発生器、８１…サブＣＰＵ、８２…サブＲＯＭ、８３…サブＲＡＭ、
１３０…ミドルボード（リール支持板）、２０８…第１側内板受け部、  ２１５…第２側内板受け部、  ２２９…第３側内板受け部、  ２４２…第４側内板受け部、  ２４８…側内板受け部、  ２５０…天板内板、  ２５１…天板枠部、  ２５３…第１天板枠部、  ２５４…第２天板枠部、  ３００…組み立て体、  ３０１…背板受け部
【図１】
2019063553.tif 000003
【図２】
2019063553.tif 000004
【図３】
2019063553.tif 000005
【図４】
2019063553.tif 000006
【図５】
2019063553.tif 000007
【図６】
2019063553.tif 000008
【図７】
2019063553.tif 000009
【図８】
2019063553.tif 000010
【図９】
2019063553.tif 000011
【図１０】
2019063553.tif 000012
【図１１】
2019063553.tif 000013
【図１２】
2019063553.tif 000014
【図１３】
2019063553.tif 000015
【図１４】
2019063553.tif 000016